(57)【要約】【課題】盗まれたり、第三者に渡ったりした場合に不正に使用されることを防止する手段をカード自身に持たせた非接触方式のＩＣカードを提供することを目的とする。【課題を解決するための手段】非接触方式のＩＣカードの電子回路に正常な働きを阻止する阻止回路を付け加えて正常には動かない状態に安定させて、盗難時に対処し、所有者固有の所定の信号を入力したときのみ電子回路を決済できる状態に切り替えて、所定の時間が過ぎたら前記電子回路を元の正常には動かない状態に戻す行為を時限装置で自動的かつ強制的に行って、前記電子回路を必ず正常には動かない状態に戻して、第三者に使用される隙を作らない非接触方式のＩＣカードの盗難対策方法。【選択図】図８
2006072814.tif 000002
【特許請求の範囲】
【請求項１】
非接触方式のＩＣカードの電子回路に前記電子回路の正常な働きを阻止する阻止回路を付け加えて、前記の阻止回路を阻止状態に安定させることによって前記電子回路を正常には動かない状態に安定させて、つまり決済ができない状態にしておいて盗難時に対処し、暗証番号や暗証記号や指紋や手の血管の形や今後実用化される識別装置の対象となる信号などの管理者固有の所定の信号を入力したときのみ前記の阻止回路に阻止を止めさせることで前記電子回路を正常に動く状態つまり決済できる状態に切り替えて、かつ前記の正常に動く状態を６０秒とか３分とか６０分とか３時間とか１２時間とか７日とか所有者あるいは管理者が任意に設定することも可能な所定の時間に限って持続させてこの間を決済可能期間として、所定の時間が過ぎたら前記電子回路を元の正常には動かない状態に戻す行為を時限装置で自動的かつ強制的に行って、あるいは所定の条件が満たされた場合には所定の時間が過ぎなくても前記電子回路を元の正常には動かない状態に戻して、かつ前記の装置に侵入防止策を施して盗人に前記の装置に侵入させない対処をして、前記電子回路を正常には動かない状態に必ず戻して、第三者に使用される隙を作らない非接触方式のＩＣカードの盗難対策方法。
【請求項２】
電子回路の機能を稼働させたり停止させるために前記の電子回路が本来有しているスイッチ装置とは別に、前記の電子回路の要所を遮断して正常には動かない状態を作って前記の電子回路の機能を阻止する阻止回路を、前記の電子回路の要所の一箇所あるいは複数箇所の要所に有した、非接触方式のＩＣカードの電子回路。
【請求項３】
請求項２記載の阻止回路を有した非接触方式のＩＣカードの電子回路と、管理者を認識する認識機構と、前記の認識機構が管理者を認識した時だけ前記の電子回路に正常な動きをする状態を所定の時間だけ持続させる時限付きの正常状態持続機構と、前記の三つの機構の全部あるいは一部に侵入防止策を施した侵入防止機構の４つの機構を主要な構成要素として成る、請求項１記載の盗難対策方法及び盗難抑止方法を実施する、非接触方式のＩＣカードの盗難対策装置。
【請求項４】
請求項２記載の阻止回路を有した非接触方式のＩＣカードの電子回路と、暗証番号や暗証記号や指紋や手の血管の形や今後実用化される識別装置の対象となる信号などの管理者固有の信号を
受けて管理者を認識する認識機構と、前記の認識機構が管理者を認識した時だけ前記の認識機構と連動して前記の電子回路に正常な状態を６０秒とか３分とか６０分とか３時間とか１２時間とか７日間とか管理者が任意に設定することも可能な所定の時間だけ持続させる時限付きの正常状態持続機構と、前記の三つの機構の全部あるいは一部に、回路を集積回路にして細密にするとか細密な配線を基板に配するとか多層基板にするとか基板をブラックボックス化するとか密封するとか侵入したら自己破壊するなどの、侵入防止策を施した侵入防止機構の４つの機構を主要な構成要素として成る、請求項１記載の盗難対策方法を実施する、非接触方式のＩＣカードの盗難対策装置。
【請求項５】
請求項３及び請求項４記載の非接触方式のＩＣカードの盗難対策装置を搭載した非接触方式のＩＣカード及び非接触方式のＩＣカードの機能を搭載した対象物。
【請求項６】
請求項３及び請求項４記載の非接触方式のＩＣカードの盗難対策装置を搭載していることを、マークや絵や文字や音や映像などの告知手段で自ら表現し告知している請求項５記載の非接触方式のＩＣカード及び非接触方式のＩＣカードの機能を搭載した対象物。
【発明の詳細な説明】
【技術分野】
【０００１】
本発明は非接触方式のＩＣカードの盗難対策方法及び盗難対策装置に関する。
【背景技術】
【０００２】
従来、非接触方式のＩＣカードは盗まれて使用されてしまうという欠点があった。非接触方式のＩＣカードは、その形状と持ち運ぶという使用形態から、盗まれたり落としたり忘れ物になるなどの可能性が高く、他人の手に渡ってしまうことを防ぐには限度がある。しかも、不正に使用されることをカードそのもので阻止する手段をカード自身が持っていなかった。
【０００３】
従来、非接触方式のＩＣカードを盗まれた場合には、管理会社に盗難届けをして被害の拡大を抑える対処方法がある。しかし、管理会社の処理にも時間がかかるのでそれまでの被害は防止できない。しかも、あらかじめ入金しておく仕組みの非接触方式のＩＣカードの場合は対処方法がない。
【０００４】
さらに近い将来、車のキーをはじめ家や建物の鍵や身分証明書やパスポートなど金額の決済以外の目的でもカードの電子化は進むものと考えられるので、電子化されたカード全体の盗難対策方法及び盗難対策装置が必要になる。
【０００５】
さらに、非接触方式のＩＣカードの機能がカードの形態に止まらずに腕輪やブローチなどのアクセサリーになったり、携帯電話や腕時計などの携帯型の電子機器と組み合わされる場合もあり、その場合でも、盗難対策方法及び盗難対策装置が必要になる。
【０００６】
さらに、有効な盗難対策方法がないことが現在の非接触方式のＩＣカードの利用者の盗難への不安を払拭できず、今後非接触方式のＩＣカード化が進むであろう金融機関などのカードの普及の妨げになっていると予想される。
【０００７】
従来は、非接触方式のＩＣカードの主要な電子回路そのものの働きを阻止して機能を失わせてしまう阻止回路と非接触方式のＩＣカードの主要な電子回路とを組み合わせたものは無かった。しかもその阻止回路は遮断状態つまり阻止している状態が安定した状態であって所定の条件下のときに限って遮断を止めるという機能を持った物でなく、したがって、電子回路が遮断されていて決済機能を失った状態が安定した状態であって所定の条件のときに限って決済ができる非接触方式のＩＣカードの電子回路も当然のことながら無かった。
【０００８】
従来の非接触方式のＩＣカードは、内蔵している電子回路そのものの決済機能を管理者が無効にしたり有効にしたりする切り替え手段を持たない。
【０００９】
従来、非接触方式のＩＣカードのように薄く軽い対象物に搭載する盗難対策装置は無かった。
【００１０】
従来の一般的な盗難対策装置は盗難対策装置を破壊されたり無効にされたり取り除かれたりして侵入されることが常であった。
【００１１】
また、非接触であるが故の電磁波による侵入を防止する手段が新たに生ずる可能性がある。例えば、盗人が非接触方式のＩＣカードの携帯型用の読み取り書き込み装置を携帯して管理者が所持している非接触方式のＩＣカードに近づくなどということも考慮しなければならない。
【００１２】
非接触方式のＩＣカードに効果的な盗難対策方法及び盗難対策装置が無いことが利用者の不安となって普及の妨げになっている。
【００１３】
従来は、非接触方式のＩＣカードを万が一盗まれた場合は、決済機能の停止や対策は管理会社に委ねられ、発生する損害については管理者の免責や保険で対処する方法などが一般に用いられていて、保険料などは結果的に管理会社あるいは管理者の負担となっていて、非接触方式のＩＣカードの運用管理費の負担を大きくしている。
【特許文献１】特開２００２−１０９２３８
【非特許文献１】フェリカのホームページ
【発明の開示】
【発明が解決しようとする課題】
【００１４】
解決しようとする問題点は、非接触方式のＩＣカードの盗難対策方法及び盗難対策装置である。
【００１５】
盗まれたり、第三者に渡ったりした場合に不正に使用されることを防止する手段をカード自身に持たせた非接触方式のＩＣカードを提供することを目的とする。
【００１６】
あらかじめ入金しておく仕組みの電子決済機構付きカードに於いても、盗まれても使用させない盗難対策方法及び盗難対策装置を提供することを目的とする。
【００１７】
また、近い将来、車のキーをはじめ家や建物の鍵や身分証明書やパスポートなど金額の決済以外の目的でもカードの電子化は進むものと考えられるので、電子化されたカード全体の盗難対策方法及び盗難対策装置を提供することを目的とする。
【００１８】
さらに、非接触方式のＩＣカードがカードの形態から腕輪やブローチなどのアクセサリーに変わったり携帯電話や腕時計や携帯型の電子機器などの携帯品と組み合わされる場合も想定される。その場合にも共通して使用できる盗難対策方法及び盗難対策装置も提供する。
【００１９】
さらに、有効な盗難対策方法がないことが現在の非接触方式のＩＣカードや今後非接触方式のＩＣカード化が進むであろう金融機関などのカードの普及の妨げになっていると予想されるので、普及を促進するためにも確実に効果のある非接触方式のＩＣカードの盗難対策方法及び盗難対策装置を提供する。
【００２０】
非接触方式のＩＣカードの主要な電子回路そのものの機能を阻止して失わせてしまう阻止回路と非接触方式のＩＣカードの主要な電子回路とを組み合わせて、しかも、その阻止回路は遮断状態つまり阻止している状態が安定した状態であって所定の条件のときに限って遮断を止めるという機能を持たせる。したがって、電子回路が遮断されていて決済機能を失った状態が安定した状態であって所定の条件下のときに限って決済ができる非接触方式のＩＣカードの電子回路を提供することを目的とする。
【００２１】
電子決済機構付きカードのように薄く軽い対象物に搭載することができる盗難対策装置を提供することを目的とする。
【００２２】
非接触方式のＩＣカードの盗難対策装置に盗人が侵入して盗難対策機能を無効にするなどの侵入が極めて困難なあるいは不可能な盗難対策装置を提供することを目的とする。さらに、非接触方式のＩＣカードの機能に侵入することを防止する。例えば、盗人が非接触方式のＩＣカードの携帯型の読み取り書き込み装置を携帯して管理者が持っている非接触方式のＩＣカードに近づいてデータを読み出したり書き込んだりするなどということに対処することをも考慮しなければならない。
【００２３】
非接触方式のＩＣカードを万が一盗まれた場合でも、決済機能の停止や対策を管理会社に委ねるとか発生する損害のために保険で対処するなどの必要が無い非接触方式のＩＣカードによって管理会社の負担を軽減する非接触方式のＩＣカードの盗難対策方法及び盗難対策装置を提供する。
【００２４】
あわせて、管理者の盗難に対する不安を解消して誰でも安心して使用できる非接触方式のＩＣカードの普及を促進する為に、非接触方式のＩＣカードの盗難対策方法及び盗難対策装置を提供する。
【００２５】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【００２６】
上記目的を達成するために、本発明は、非接触方式のＩＣカードの電子回路に前記電子回路の正常な働きを阻止する阻止回路を付け加えて、前記の阻止回路を阻止状態に安定させることによって前記電子回路を正常には動かない状態に安定させて、つまり決済ができない状態にしておいて盗難時に対処し、暗証番号や暗証記号や指紋や手の血管の形や今後実用化される識別装置の対象となる信号などの所有者固有の所定の信号を入力したときのみ前記の阻止回路に阻止を止めさせることで前記電子回路を正常に動く状態つまり決済できる状態に切り替えて、かつ前記の正常に動く状態を６０秒とか３分とか６０分とか３時間とか１２時間とか７日とか所有者あるいは管理者が任意に設定することも可能な所定の時間に限って持続させてこの間を決済可能期間として、所定の時間が過ぎたら前記電子回路を元の正常には動かない状態に戻す行為を時限装置で自動的かつ強制的に行って、あるいは所定の条件が満たされた場合には所定の時間が過ぎなくても前記電子回路を元の正常には動かない状態に戻して、かつ前記の装置に侵入防止策を施して盗人に前記の装置に侵入させない対処をして、前記電子回路を正常には動かない状態に必ず戻して、第三者に使用される隙を作らない非接触方式のＩＣカードの盗難対策方法。
【００２７】
電子回路の機能を稼働させたり停止させるために前記の電子回路が本来有しているスイッチ装置とは別に、前記の電子回路の要所を遮断して正常には動かない状態を作って前記の電子回路の機能を阻止する阻止回路を、前記の電子回路の要所の一箇所あるいは複数箇所の要所に有した、非接触方式のＩＣカードの電子回路。
【００２８】
請求項２記載の阻止回路を有した非接触方式のＩＣカードの電子回路と、管理者を認識する認識機構と、前記の認識機構が管理者を認識した時だけ前記の電子回路に正常な動きをする状態を所定の時間だけ持続させる時限付きの正常状態持続機構と、前記の三つの機構の全部あるいは一部に侵入防止策を施した侵入防止機構の４つの機構を主要な構成要素として成る、請求項１記載の盗難対策方法及び盗難抑止方法を実施する、非接触方式のＩＣカードの盗難対策装置。
【００２９】
請求項２記載の阻止回路を有した非接触方式のＩＣカードの電子回路と、暗証番号や暗証記号や指紋や手の血管の形や今後実用化される識別装置の対象となる信号などの管理者固有の信号を
受けて管理者を認識する認識機構と、前記の認識機構が管理者を認識した時だけ前記の認識機構と連動して前記の電子回路に正常な状態を６０秒とか３分とか６０分とか３時間とか１２時間とか７日間とか管理者が任意に設定することも可能な所定の時間だけ持続させる時限付きの正常状態持続機構と、前記の三つの機構の全部あるいは一部に、回路を集積回路にして細密にするとか細密な配線を基板に配するとか多層基板にするとか基板をブラックボックス化するとか密封するとか侵入したら自己破壊するなどの、侵入防止策を施した侵入防止機構の４つの機構を主要な構成要素として成る、請求項１記載の盗難対策方法を実施する、非接触方式のＩＣカードの盗難対策装置。
【００３０】
請求項３及び請求項４記載の非接触方式のＩＣカードの盗難対策装置を搭載した非接触方式のＩＣカード及び非接触方式のＩＣカードの機能を搭載した対象物。
【００３１】
請求項３及び請求項４記載の非接触方式のＩＣカードの盗難対策装置を搭載していることを、マークや絵や文字や音や映像などの告知手段で自ら表現し告知している請求項５記載の非接触方式のＩＣカード及び非接触方式のＩＣカードの機能を搭載した対象物。とで非接触方式のＩＣカードの盗難対策方法及び盗難対策装置を構成している。
【発明の効果】
【００３２】
以上の説明から明らかなように、本発明にあっては次に列挙する効果が得られる。
【００３３】
本発明の盗難対策方法は、非接触方式のＩＣカードの電子回路そのものを正常には動かない状態にしておいて盗難に対処して、管理者が使用するときだけ正常に動く状態に切り替える方法であり、管理者だけが使用することができて盗人には使用させない方法である。
【００３４】
したがって、本発明の盗難対策方法は電子決済機構付きカードを盗まれない様にするのではなく、盗られても使わせない方法を用いるものである。
【００３５】
したがって、本発明の盗難対策方法を正しく表現すれば、盗られた後の被害を防止する方法に関するものである。つまり、盗人が盗んでも非接触方式のＩＣカードは正常には動かない状態になっている。したがって盗人は使用することができず使用価値がない。したがって使用価値がなければ盗る目的もなくなるので結果的に盗む行為を盗人に起こさせないという盗難予防効果を得ることができる。しかも、管理者は盗人が使用することによる被害の拡大を確実に防ぐことができる。
【００３６】
したがって、本発明の盗難対策方法と盗難対策装置の効果を、マークや絵や文字や音や映像などの告知手段を用いて本発明の盗難対策装置が搭載されていることを自ら表現して広く知れ渡らせれば、盗まれることを抑止し盗難を予防することができる。この効果は非接触方式のＩＣカード単独で成すことができる。したがって非接触方式のＩＣカード自身が盗難を抑止し予防する機能を持つことができる。
【００３７】
本発明の盗難対策装置の仕組みは非接触方式のＩＣカードの電子回路に正常には動かない状態と正常に動く状態の二つの状態に切り替わる機能を持たせるものである。それは、所定の条件下に限って接続の状態を持続するが通常は遮断した状態が安定状態である阻止回路を、電子回路の要所の一箇所あるいは複数箇所の要所を遮断する形で有した非接触方式のＩＣカードの電子回路である。したがって該当する電子回路本来の機能を失わせた状態で安定させておいて所定の条件下でのみ機能を回復させるという手段を非接触方式のＩＣカードの電子回路そのものに設けることができる。この手段を有した電子回路を非接触方式のＩＣカードに用いることで、管理者だけが使用することができる非接触方式のＩＣカードを作ることができる。
【００３８】
本発明の非接触方式のＩＣカードの盗難対策装置は、通常は遮断した状態が安定状態である阻止回路を有した非接触方式のＩＣカードの電子回路と、管理者を認識する認識機構と、前記の認識機構が管理者を認識した時だけ前記の電子回路に正常な動きをする状態を所定の時間だけ持続させる時限付きの正常状態持続機構と、前記の三つの構成要素の全部あるいは一部に侵入防止策を施した侵入防止機構の４つの機構を主要な構成要素として成る。
【００３９】
したがって、本発明の盗難対策装置の働きは、使用しないときは壊れているのと同然の状態にしておいて盗難に備え、管理者が使用するときに限って電子決済機構を使用できる状態にするものであり、使用できる状態は所有者が所定の信号を入力することによって成る。
【００４０】
使用できる時間は６０秒とか３分とか６０分とか３時間とか１２時間とかの所定の時間だけであり、所定の時間が過ぎたらその後は時限装置で自動的かつ強制的に元の決済不能の状態に戻って安定してしまう。したがって、一般の盗難対策装置の施錠に相当する行為が時限装置で自動的かつ強制的に成される。
【００４１】
また、使用できる時間についても所定の時間を短くして、仮に盗人が盗んでも使用できる時間の余裕を与えなければ本発明の盗難対策方法の隙を完全に無くすことができる。したがって、いかなる状態でも隙が生じないという従来の盗難対策装置では成しえなかった盗難対策装置に重要な機能を特長として持つことができる。したがって、あらかじめ入金しておく仕組みの非接触方式のＩＣカードであっても、盗人には使用することができないという有効な盗難対策装置ができる。
【００４２】
タイマー機能を応用することも可能である。定期券の機能を有した非接触方式のＩＣカードの場合は朝の一定時間と夜の一定時間だけ、定期機能だけを正常な状態にするように設定すれば、毎日決まった時間に使用する定期にその都度所定の信号を入力しなくても済むという効果がある。
【００４３】
また、所定の時間を長時間に設定している場合の予防補助策として、一度決済が行われたら所定の時間の残り時間が消滅するとか、手動で残り時間を消滅させるスイッチも付加機能として持たせることができる。
【００４４】
本発明の盗難対策装置の主要部分は電子回路で構成されている。したがって次に挙げる侵入防止手段は、電子回路のもともとの特性として備わるっている場合もあるし、意図的に強化するとか改めて取り入れることもできる。
【００４５】
その1つは電子回路の細密性を利用するものである。盗難対策装置は識別機構の入力装置と電源装置以外は電子回路からなるのでＩＣ化するとか基板に集中するなどの手段で細密な回路にして細密が故に回路内に侵入出来ないようにする手段である。
【００４６】
２つ目は、電子回路をブラックボックス化するとか積層基盤の内側に配置するとかカード自体の材質と構造で進入を防止する手段である。
【００４７】
３つ目は、一定以上の程度の侵入があったら阻止回路を遮断状態で固定してしまうとか電源を遮断するなどの自己破壊装置を設ける手段である。
【００４８】
さらに、非接触方式のＩＣカードは外部電磁波に反応して働く構造であるので、将来、例えば、盗人が非接触方式のＩＣカードの携帯型の読み取り書き込み装置を隠し持って、管理者が持っている非接触方式のＩＣカードに近付いてデータを読み出したり書き込むなどという類の侵入行為が今後発生する可能性がある。
【００４９】
本発明の盗難対策装置は電子決済機構付きカードの電子回路を遮断してしまうのでこのような将来発生するであろう手口の侵入を防止することができる。したがって、盗難対策装置に加えて電磁波にも侵入されない非接触方式のＩＣカードができて管理者の信頼度と安心度を高めることができる。
【００５０】
本発明の盗難対策装置は既存の技術だけでも実現することができる。また、本発明の盗難対策装置は、かさばる装置を必要としない。したがって、電子決済機構付きカードのように薄く軽い対象物に搭載することができる。
【００５１】
カードに本発明の盗難対策装置を搭載していることをマークや絵や文字や音や映像などの告知手段でカード自らが表現し告知することで盗人の盗む行為を牽制することができる、したがって盗難予防効果が期待できる。
【００５２】
非接触方式のＩＣカードの普及の妨げになる大きな要因は盗難に対する管理者の不安である。盗まれた場合に有効な盗難対策が無いためであり、あらかじめ入金しておく仕組みの非接触方式のＩＣカードに至っては盗難対策手段が全く無かった。簡単な操作で確実な効果が得られる盗難対策方法及び盗難対策装置が実現することで盗難に対する管理者の不安を解消することができる。したがって非接触方式のＩＣカードの普及を促進することができる。
【００５３】
さらに盗まれた場合の決済機能の停止や保険などの諸対策を行っていた管理会社の運営費用の負担を軽減することができる。したがって本発明の盗難対策装置を搭載することで保険料を安くするなど運用費用を削減する効果が期待できる。したがって非接触方式のＩＣカードの全体の運営費用を軽減することができる。
【００５４】
本発明の盗難対策方法及び盗難対策装置は非接触方式のＩＣカードの機能そのものに働きかけるものである。したがって、非接触方式のＩＣカードの機能を搭載したものであれば盗難対策方法及び盗難対策装置として使用できる。
【００５５】
したがって、キャッシュカードやクレジットカードなどの金融機関発行のカードや、身分証明書やパスポートなど金額の決済以外の目的のカードや、車のキーをはじめ家や建物の鍵などのカード化されたもの、さらにこれらの複合されたものなどに搭載した非接触方式のＩＣカードの機能に対しても盗難対策方法及び盗難対策装置として有効である。
【００５６】
さらに、電子決済機構付きカードがカードの形態から腕輪やブローチなどのアクセサリーに形状が変わったり携帯電話や腕時計や携帯型の電子機器などの携帯品と組み合わされるような場合でも非接触方式のＩＣカードの機能に対する盗難対策方法及び盗難対策装置として使用することができる。
【００５７】
しかも、受信側が盗難品を感知して警報装置が作動するなどの盗人の行動を牽制する装置も設置可能になる。
【００５８】
本発明の非接触方式のＩＣカードの盗難対策装置はその全てをカード内に内蔵する。したがってカード単独で機能する。したがって、今後開発されるかもしれない非接触方式のＩＣカードのその他の盗難対策装置と併用することが可能であり併用による相乗効果が期待できる。
【発明を実施するための最良の形態】
【００５９】
言葉の定義（１）非接触方式のＩＣカード：交通機関の自動改札口を非接触で通過するカードや非接触式の電子決済機構の付いたカードなどの非接触方式で機能する電子回路を内蔵したカードあり、金融機関のカードや身分証明書やパスポートや車のキーや家の鍵や金庫の鍵などの将来には非接触方式のＩＣカードになるであろう物すべてを含む。（２）カード：非接触方式のＩＣカードのこと。（３）非接触方式のＩＣカードの電子回路：非接触方式のＩＣカードの基本機能の電子回路を言う。携帯電話や携帯型の情報端末機とか腕時計とか腕輪やブローチなどのアクセサリーなどのカードの形態でないものに搭載される場合も含む。（４）正常でない状態：非接触方式のＩＣカードの全機能あるいは一部の機能が正しく機能しない状態を言う。第三者から見て壊れた時と同等の症状を表す状態を言う。本明細書では、正常な状態の対極の状態を表す。所定の機能に限って正常でない状態にする場合の様に状態が複数ある場合も含む。（５）正常な状態：本来の機能の通りに正しく機能する状態である。本明細書では、正常でない状態の対極の状態を表す。所定の機能に限って正常な状態にする場合の様に状態が複数ある場合も含む。（６）管理者：非接触方式のＩＣカードの所有者であり、使用する正式な権利を有する者。（７）所定の信号：暗証番号や暗証記号や指紋や虹彩の像など、認識手段に入力する管理者固有の信号であり、今後開発される認識手段に入力する対象となる信号を含む。（８）所定の時間：本発明の盗難対策装置が正常に動く状態を持続する時間の長さであり、６０秒とか３分とか６０分とか３時間とか１２時間などの他に正常状態を維持する期限を指定する場合も定義の中に含む。所定の時間の長さは予め設定する場合と管理者が任意に設定することが出来る場合がある。（９）所定の条件：一回あるいは指定回数の決済をすることとか、手動で停止するなど、所定の時間の持続中に正常に動く状態を中断する行為。（１０）施錠行為に相当する行為：盗難対策装置のスイッチを入れるとか鍵を掛けるなどの行為。（１１）隙：鍵を掛け忘れたときとか、盗難対策装置を解除したときなどの盗難対策が機能していないために盗人につけ入れられるとき。（１２）第三者：管理者でない者で盗人を含む。（１３）侵入：盗難対策装置を無効にする行為と非接触型のＩＣカードを不法に動かそうとする行為。（１４）決済：明細書の中では決済の例で説明しているが、決済に特定せず、非接触方式のＩＣカードが使用されること全般を表す。
【００６０】
以下、図面に示す発明を実施するための最良の形態により、本発明を詳細に説明する。
【００６１】
図１は、本発明の非接触方式のＩＣカードの盗難対策方法の仕組みの概念図である。
【００６２】
図１の上段は、管理者が非接触方式のＩＣカードを使用する状況を表している。管理者が使用しないときと、使用するときつまり決済するときあるいは決済できる状態にしておくときと、元の使用しないときに戻った三つの状態に分けて左から右に時間が経過するものとして説明している。
【００６３】
中段は、上段のそれぞれのときの盗難対策装置の状態を表し、その状態ごとの非接触方式のＩＣカードの状態を合わせて説明している。下段は、本発明の盗難対策装置を搭載した非接触型のＩＣカードを盗んでも、盗人には使用する機会がほとんど無いということを説明している。
【００６４】
まず、左端の非接触方式のＩＣカードを使用しないときには、盗難対策装置は停止中である。停止中とは、盗難対策が機能している状態のままで盗難対策装置が動きを止めている状態、つまり稼動していない状態を言う。このとき非接触方式のＩＣカードは盗難対策装置の機能によって決済不能の状態になっている。よって盗人がこの状態のときのカードを盗んでも使用できない。
【００６５】
このように盗難対策装置が停止しているときに盗難対策が機能しているのが本発明の盗難対策方法の特徴である。
【００６６】
つぎに、決済するときあるいは決済できる状態にしておくときは、管理者は操作１の所定の信号を入れる。所定の信号によって盗難対策装置が稼動して非接触方式のＩＣカードを決済可能の状態にする。この状態のときに限って非接触型のＩＣカードは普通に使用できる状態を持続する。
【００６７】
管理者はこのときに使用できるが、盗人がたまたまこのときに盗めば盗人も使用できる。しかし所定の時間が過ぎれば使用できない。
【００６８】
決済可能な状態は所定の時間だけ持続する。所定の時間とは６０秒とか３分とか６０分とか３時間とか１２時間とかであり、所定の時間が過ぎると元の使用できない状態に自動的かつ強制的に戻る。盗人が盗んでも使用できない。
【００６９】
管理者が使用するときあるいは使用できる状態にしておきたいと思う所定の時間に限って非接触方式のＩＣカードを決済可能の状態にするのが本発明の盗難対策方法の特徴である。
【００７０】
このように、本発明の盗難対策方法は、扱いが簡単でありながら盗人に使用する隙を与えないという確実な効果が得られるという特長を有する。
【００７１】
図２は、図１の盗難対策方法の説明に関連付けて盗難対策装置の主要な構成要素の動作を詳細に説明するものである。
【００７２】
本発明の盗難対策装置は、非接触方式のＩＣカードに搭載する。
【００７３】
非接触方式のＩＣカードを使用しないとき、盗難対策が機能していて盗難対策装置は停止中である。したがって主要な構成要素である識別機構も停止中であり、時限付きの正常状態持続機構も停止している。非接触方式のＩＣカードの電子回路の中にあって、かつ時限付きの正常状態持続機構と連動している阻止回路はこのとき遮断状態なので、非接触方式のＩＣカードの電子回路の主要な部分も遮断された状態で安定している。したがってこのときの非接触方式のＩＣカードは正常には動かない状態つまり決済不能の状態である。
【００７４】
決済するときあるいは決済できる状態にしておくときは、識別機構を起動して所定の信号を入れる。前記の操作によって。識別機構は所定の信号を受信して管理者を識別すると時限付きの正常状態持続機構を起動させて、その後、元の停止中の状態に戻る。
【００７５】
起動して稼働状態になった時限付きの正常状態持続機構は、非接触方式のＩＣカードの電子回路の中にある阻止回路に向けて、阻止を止めさせる信号つまり非接触型のＩＣカードの電子回路を正常な状態で安定させる信号を発して、この状態を所定の時間だけ持続する。所定の時間は６０秒とか３分とか６０分とか３時間とか１２時間などであり、この時間が過ぎると自動的かつ強制的に稼働を停止させる。
【００７６】
阻止回路を有した非接触型のＩＣカードの電子回路は、遮断状態だった阻止回路が阻止を止めさせる信号つまり非接触型のＩＣカードの電子回路を正常な状態で安定させる信号を受けて遮断を止めるので、正常に動く状態に切り替り安定する。したがって、このときに限って非接触方式のＩＣカードは決済可能の状態になる。このとき管理者は非接触方式のＩＣカードを普通に使用できる。
【００７７】
盗人が盗んで使用できるのはこのときだけである。しかも、所定の時間内という短時間に限る。
【００７８】
時限付きの正常状態持続機構が停止すれば、連動して阻止回路が遮断状態に戻るので、非接触方式のＩＣカードの電子回路は正常には動かない状態に戻って安定する。
【００７９】
図３は、本発明の盗難対策装置の主要な構成要素と互いの関係を説明するものである。
【００８０】
なお、図３では主要な構成要素を明確に４つに分けて表現しているが、あくまでも説明のために解り易く区分したものであり、実際には構成要素の回路がお互いに入り組んだり、基板上に一体になったり、一部あるいは全部が非接触方式のＩＣカードの電子回路に組み込まれるなどするので、形の上での回路の位置形状を制約するものではない。
【００８１】
識別機構は非接触方式のＩＣカード１の管理者を識別する機能を持ち、識別の為の所定の信号５１にあわせた入力装置を持つ。
【００８２】
所定の信号５１に暗証番号や暗証記号を用いる場合には入力キーと表示装置を搭載し、指紋を用いる場合には指紋センサーを搭載するなど、あるいは今後カード搭載用に実用化する識別装置など、所定の信号に合わせた入力装置を搭載する。
【００８３】
識別機構は入力装置のほかに自ら起動するスイッチや所定の信号５１の照合装置や記憶装置や電源装置も有する。所定の信号５１を登録変更する為に登録変更機能を有する場合がある。なお、カードに搭載するので特に入力装置は薄く小さい必要がある。ただし本発明の対象物はカードに限っていないので、その場合はカードの形状による制約は無い。
【００８４】
識別機構は管理者を識別すると、管理者を識別した信号５２つまり時限付きの正常状態持続機構を起動させる信号を発して役割を終わる。
【００８５】
起動した時限付きの正常状態持続機構は、非接触方式のＩＣカードの電子回路を所定の時間だけ正常に動く状態にする機能を有し、普段は停止していて、管理者を識別した信号５２を受けたときだけ起動して稼働する。稼働すると非接触方式のＩＣカードの電子回路に向けて正常状態を持続させる信号５３を発する。正常状態を持続させる信号５３とは、非接触方式のＩＣカードの電子回路内の阻止回路の阻止を止めさせる信号である。
【００８６】
なお、正常状態を持続させる信号５３には持続開始信号と持続終了信号を用いる方法や、持続開始信号だけを用いて時限装置を阻止回路側に設ける方法もある。さらに、侵入防止のために阻止回路側と双方向の通信をする方法も有る。しかし、この場合は持続開始信号の後に持続終了信号が伝わらなかったり、阻止回路側の受信装置や時限装置などの装置が機能しなかったりすると盗難対策に隙ができるのでその場合の補完装置が必要である。よって、正常な状態を持続させる信号５３は連続信号あるいは断続信号などの継続的な信号を用いる方が簡素な装置になる。
【００８７】
なお、時限付きの正常状態持続機構は、起動後に時限装置が働いて所定の時間が過ぎると自動的かつ強制的に停止する。所定の時間前に手動で停止させたり、決済が行われた後に自動的かつ強制的に停止させる方法を組み込む場合もある。
【００８８】
時限付きの正常状態持続機構は時計機能を有する。所定の時間の設定する長さによってはおおよその秒や分が設定できる精度のタイマー機能でも良い場合もある。いずれにしても、時限装置の中に侵入されると所定の時間を延長されたり所定の時間を無効にされるなどして非接触方式のＩＣカード１を不正に使用される可能性があるので、時限装置そのものを後に述べる侵入防止機構の侵入防止の対象範囲５４に入れるほうが侵入防止機構の厳重度が高まる。さらに所定の時間を変更する装置を有する場合がある。
【００８９】
阻止回路を有した非接触方式のＩＣカードの電子回路は、非接触方式のＩＣカードの本来の機能を有する電子回路の中に阻止回路を有して、正常には動かない状態で安定するようにした非接触方式のＩＣカードの電子回路である。
【００９０】
阻止回路は時限付きの正常状態持続機構が発する正常状態を持続させる信号つまり阻止を止めさせる信号を受けたときに限って阻止する機能を停止する。
【００９１】
したがって、阻止回路を有した非接触方式のＩＣカードの電子回路は、正常には動かない状態で常に安定していて、正常状態を持続させる信号を受けているときに限って正常に動く状態で安定する。
【００９２】
したがって、非接触方式のＩＣカード１も正常には動かない状態で常に安定していて、正常状態を持続させる信号を受けているときに限って正常に動く状態で安定する。
【００９３】
阻止回路を有した非接触方式のＩＣカードの電子回路の原理は図４で詳しく説明する。
【００９４】
侵入防止機構は非接触方式のＩＣカード１を盗んだ盗人が不正に使用するために盗難対策装置に電気的あるいは機械的に侵入することを防ぐものである。
【００９５】
非接触方式のＩＣカード１に盗難対策装置を搭載すること自体が、非接触方式のＩＣカードの電子回路と盗難対策装置の電子回路の二通りの電子回路を組み合わせたものであり、電子回路の細密さ故の侵入防止機能が既に備わっているとも言え、電気の知識の無い盗人には十分な侵入防止機構となる。
【００９６】
さらに、硬いカード表皮の材質で内部に容易に侵入することができないことからも力の侵入に対して侵入防止機能が既に備わっているとも言える。したがって、本発明の盗難対策装置を搭載した非接触型のＩＣカードは少なくとも本来の非接触方式のＩＣカードが有している程度の侵入防止機能を受け継いで有していることになる。
【００９７】
しかし、非接触方式のＩＣカードの使用価値が高まるに連れて、盗んで不正に使用しようとする盗人の侵入手口も巧妙になるので、価値に相応した厳重な侵入防止機構が必要になる。その場合、図３の侵入防止機構の点線で囲った部分が侵入されると本発明の盗難対策装置の基本機能そのものが犯される可能性のある範囲であることを表している。
【００９８】
侵入させない範囲は、識別機構の照合装置以降であり、管理者を識別した信号の伝達部分であり阻止回路までである。特に管理者を識別した信号や正常状態を持続させる信号系に擬似信号で侵入する手口が本発明の盗難対策装置の弱点の一つに考えられるので重要な侵入防止拠点になる。しかしながら、侵入防止策をどこまで施しているかは厳重度の設計次第であるので図３に示した侵入防止の対象範囲５４以下にも以上にも範囲を規定するものではない。
【００９９】
図３に示した侵入防止の対象範囲５４は、本発明の盗難対策装置の基本機能が犯され易いと考えられる範囲である。なお、タイマー機能は時限付きの正常状態持続機構に含まれるので侵入防止範囲に入る。
【０１００】
点線の外側つまり侵入防止の対象範囲５４外の部分は、例えば識別機構では電源であったり入力キーや表示部であり、時限付きの正常状態持続機構では手動の停止装置であったり、阻止回路を有した非接触方式のＩＣカードの電子回路ではアンテナ部分や電子回路の一部などの侵入されても盗難対策装置の本来の機能に影響の無い部分である。
【０１０１】
侵入防止機構の防止手段の1つは電子回路の細密を利用するものである。盗難対策装置は識別機構の入力装置と電源装置以外は電子回路からなるのでＩＣ化するとか基板に集中するなどの手段で細密な回路にして細密が故に侵入出来ないようにする。
【０１０２】
侵入防止機構の防止手段の２つ目は、ブラックボックス化するとか積層基盤の内側に配置するとかカード自体の材質と構造で物理的に進入できないようにする。
【０１０３】
侵入防止機構の防止手段の３つ目は、所定の程度以上の侵入があったら阻止回路を遮断状態で固定してしまうとか電源を遮断するなどの自己破壊装置を設ける。
【０１０４】
侵入防止機構は例に挙げた方法あるいはその他の方法を単独で用いる場合と複数の方法を組み合わせて用いる場合がある。
【０１０５】
侵入防止機構の厳重度は、以上に述べたように非接触方式のＩＣカード１が本来有している侵入防止機能の程度から侵入時に自己破壊する程の厳重なものまで、非接触方式のＩＣカード１の価値に合わせて厳重度を設定すれば良い。複数の防止手段を組み合わせて厳重な侵入防止機構にすることで管理者の安心感を高めることができる。
【０１０６】
侵入防止機構は盗難対策装置への侵入を防止する他に、電磁波を用いた侵入と所定の信号を盗む侵入と機械的な侵入などの非接触方式のＩＣカード１への直接侵入が考えられる。
【０１０７】
電磁波を用いた侵入については電子回路の要所を遮断していることで防止できる。
【０１０８】
所定の信号を盗む侵入は識別機構の精度と所定の信号の管理の問題で対処する。
【０１０９】
機械的な侵入には、阻止回路の阻止機能を破壊するとか、管理者を識別した信号あるいは正常状態を持続させる信号を擬似的に割り込ませるなど電子回路に接続侵入することが想定されるが、
盗難対策装置の主要な部分をＩＣチップ内に組み込んでしまうか微細な基板に配置することで細密が故の侵入防止が有効に働く。
【０１１０】
図４は阻止回路を有した非接触方式のＩＣカードの電子回路２の模式図に阻止回路の取り付け対象範囲４１を表し説明するものである。
【０１１１】
非接触方式のＩＣカードの電子回路２をＩＣチップ３電子回路４アンテナ線５で表している。
【０１１２】
阻止回路の取り付け対象範囲４１はＩＣチップ内４２ＩＣチップ３以外の電子回路部分４３あるいはアンテナ部分４４である。
【０１１３】
非接触方式のＩＣカードの電子回路２の決済は内臓のアンテナ線５を用いて電力６を得て、信号７をやり取りする。したがって図で説明する阻止回路の取り付け対象範囲４１に阻止回路を取り付ければ、非接触方式のＩＣカードの電子回路２を正常には動かない状態にする事ができる。
【０１１４】
図５は阻止回路１７の仕組みを説明するものである。阻止回路は対象の電子回路の要所１１ａを遮断部１３ａにして遮断手段１５ａを設けた回路であり、電子回路の要所１１ａを電気的に遮断する回路であり遮断手段１５ａは時限付きの正常状態持続機構の時限装置に連動１６ａする。阻止回路１７は遮断した状態で安定させておき、正常状態を持続させる信号つまり阻止を止めさせる信号を受けたときだけ遮断の状態を止める。遮断の状態が止まれば電子回路は正常に動く状態になる。電子回路を正常でない状態に保つ為には阻止回路による遮断は電子回路の要所の一箇所で十分であるが、侵入防止を厳重にする場合には２箇所以上を遮断する方法もある。
【０１１５】
図６は遮断部を二つ持った阻止回路１８である。電子回路の要所１１ｂ、１２ｂ二箇所を遮断部１３ｂ、１４ｂにしてそれぞれに遮断手段１５ｂを設けた回路であり、遮断手段１５ｂは時限付きの正常状態持続機構の時限装置に連動する。
【０１１６】
図７は図６の変形であり、同じく遮断部を二つ持った阻止回路１９である。電子回路の要所１１ｃ、１２ｃ二箇所を遮断部１３ｃ、１４ｃにして遮断手段１５ｃを設けた回路であり、遮断手段１５ｃは時限付きの正常状態持続機構の時限装置に連動する。
【０１１７】
阻止回路の遮断とは図５、６、７では回路配線を機械的に遮断するスイッチの例で説明しているが、本発明の盗難対策装置の阻止回路の目的が電子回路そのものの機能を正常には動かない状態に安定させることであるから、半導体や抵抗体やフィルターなど物理的に該当の電子回路の信号を遮断あるいは減衰あるいは乱すなど正常でない状態にして安定させるものであれば、何でも良い。
【０１１８】
図８は本発明の盗難対策装置を搭載した非接触型のＩＣカード１ａの実施例であり、管理者を識別するための所定の信号に暗証番号あるいは暗証記号を用いる例である。
【０１１９】
本発明の盗難対策方法及び盗難対策装置の操作は所定の信号を入力するだけである。入力手順はまず識別機構の起動スイッチ２８ａを押して識別機構を起動させる。起動の確認は表示部２６で行うことができる。
【０１２０】
起動したら暗証番号あるいは暗証記号を入力ボタン２７で入力する。入力ボタン２７と表示部２６はカード型電卓やリモコンなどで一般化している薄型化技術を用いれば既存の技術でできる。なお、所定の信号を暗証番号にする場合は入力ボタンは１０個で良いし、操作数が増えるがもっと少ないボタンで入力する方法を用いれば、ボタンをさらに少なくすることができる。
【０１２１】
図ではこれらの入力手段をカード表面２３ａに設けたと表現をしているが、カードには商標や模様が施されるので、表面とは裏面の区別が難しい場合もあり、便宜上入力手段のある面を表面としたにすぎない。
【０１２２】
カード表面２３ａにボタンを設けたことによって、他のカードと重なり押し合う状態で持ち歩かれるというカードの保管条件から、少なくとも入力装置の起動スイッチキーには押されて誤動作しない対策が必要である。
【０１２３】
図８は、カード表面２３ａより凹んだ、凹み部分２９ａに識別機構の起動スイッチを設けて、誤動作を防止するものである。
【０１２４】
図９は図８の９-９に沿う断面図である。識別機構の起動スイッチ２８ａは凹み部分２９ａの中にカード表面の位置３１より低く埋没させて設けてある。あるいは、識別機構の起動スイッチ２８ａの頂部がカード表面２５ａより飛び出ていたとしても、スイッチを入れるときにカード表面の位置３１より下に押し込む構造であれば良い。
【０１２５】
重なることによるスイッチの誤動作を防止する、そのほかの方法としては、凹凸の無いタッチスイッチにするとか、ロック式にするとか、複数のスイッチを連動させて所定の操作で起動させるとか、蓋をつけるなどの誤動作対策がある。図１１、１２にはスイッチをカード側面に設けて側面より深い位置まで押し込まないと起動しないようにする方法の例を示した。
【０１２６】
図１０は所定の信号を管理者の指紋にした場合の例であり、図８の入力手段を入力キーから指紋センサー３５ｂに変えたものである。識別機構の起動スイッチ２８ｂは凹み部分２９ｂに設けたものである。図８のような表示部がいらない代わりに識別機構の起動を確認する為の識別機構起動ランプ３６ｂを設けてある。
【０１２７】
図１１は図１０の識別機構の起動スイッチ部分だけ変更したものであり、深い位置まで押し込むスイッチの例である。識別機構の起動スイッチ２８ｃを側面の凹み部分３０の中に動作点をカード側面位置３２よりも深い位置に設置して、カード側面２５ｃに設けた誤動作防止スイッチとしたものである。
【０１２８】
図１２は図１１の１２-１２に沿う断面図である。押す方向３４ｃがカード側面２５ｃの方向の識別機構の起動スイッチ２８ｃであり、側面の凹み部分３０にカード側面位置３２より深く設置している。
【０１２９】
その他の実施例としては、本発明の盗難対策装置には使用時に正常に動く状態を持続させる為の電源が必要であるが、非接触型のＩＣカードの標準型は外部からの電磁波で電力を得る方法を用いているので、その場合は共有できない。したがって、ボタン型電池やスティック型電池やシート型電池などの二次電池を含む内蔵電池を用いるとか、太陽光や人工光発電や燃料電池などの自己発電装置を備える。
【０１３０】
図８、１０、１１の盗難対策装置付き非接触方式のＩＣカードの日常の使用方法は、使用するときにスイッチを入れて暗証番号あるいは暗証記号あるいは指紋などの所定の信号を入力するだけである。所定の信号を入力すると時限装置によって所定の時間だけ使用でき状態が持続する。所定の時間は３０秒とか１分とか３分などのように短く設定して、その間に決済を終われば、その後に盗まれても盗人に使用される隙は極めて少なく、管理者の安心感も高まる。
【０１３１】
通勤定期券として使用する場合には、所定の時間を改札を出るまでの３０分とか６０分にしておけば、改札を出るときに２度目の操作をする必要がない。ただし、その間に盗まれると所定の時間が切れるまでは盗人に使用される可能性が残る。ただし、その場合でも盗人には所定の時間がわからないし使用できる状態かそうでないかも分からないので、心理的な圧力をかけることができる。
【０１３２】
所定の時間の長さは、設定変更機構が加わる場合もある。
【０１３３】
発行時の所定の信号の初期設定については、今後開発され実用化されるであろう所定の信号の入力手段に準ずるが、図８の暗証記号や暗証番号の場合は、非接触方式のＩＣカードの発行者が発行時の暗証記号や暗証番号を持っていて、後に管理者が自分で変更するメールアドレスの変更方法が有効である。指紋照合の場合は照合用の指紋をメモリーに登録する手続きが必要な場合もある。
【０１３４】
本発明の盗難対策方法及び盗難対策装置は非接触方式のＩＣカードの電子回路に働きかけるものである。したがって、非接触方式のＩＣカードの電子回路を搭載したものであればカードの形状に関わらず盗難対策方法及び盗難対策装置を搭載できる。したがって、キャッシュカードやクレジットカードなどの金融機関発行のカードや、身分証明書やパスポートなど金額の決済以外の目的のカードや、車のキーをはじめ家や建物の鍵などのカード化されたもの、さらにこれらの複合されたものなどに搭載した非接触方式のＩＣカードの機能に対しても盗難対策方法及び盗難対策装置として有効である。
【０１３５】
さらに、電子決済機構付きカードがカードの形態から腕輪やブローチなどのアクセサリーに形状が変わったり携帯電話や腕時計や携帯型の電子機器などの携帯品と組み合わされるような場合でも非接触方式のＩＣカードの機能に対する盗難対策方法及び盗難対策装置として使用することができる。
【産業上の利用可能性】
【０１３６】
本発明は、非接触方式のＩＣカードを製造、販売、活用する産業で利用される。
【図面の簡単な説明】
【０１３７】
【図１】非接触方式のＩＣカードの盗難対策方法の概念図と操作説明図。
【図２】非接触方式のＩＣカードの盗難対策装置及び主要な構成要素の動作関係説明図。
【図３】盗難対策装置の主要な構成要素。
【図４】非接触方式のＩＣカードの電子回路に取り付ける阻止回路の取り付け対象範囲。
【図５】阻止回路の原理図
【図６】二箇所を遮断する阻止回路の例1
【図７】二箇所を遮断する阻止回路の例2
【図８】盗難対策装置を搭載した非接触型のＩＣカード、入力装置に文字キーを用いた例。
【図９】図８の９-９線に沿う断面図。
【図１０】盗難対策装置を搭載した非接触型のＩＣカード、入力装置に指紋識別装置を用いた例。
【図１１】誤動作防止の側面スイッチ取り付け例。
【図１２】図11の12-12線に沿う断面図。
【符号の説明】
【０１３８】
1、1ａ、1ｂ、1ｃ：非接触方式のＩＣカード本体、
2：非接触方式のＩＣカードの電子回路、
3：主なＩＣチップ、
4：主なＩＣチップ以外の電子回路、
5：アンテナ線、
6：電力、
7：信号、
11ａ、11ｂ、11ｃ：電子回路の要所1、
12ｂ、12ｃ：電子回路の要所2、
13ａ、13ｂ、13ｃ：遮断部1、
14ｂ、14ｃ：遮断部2、
15ａ、15ｂ、15ｃ：遮断手段、
16a、16b、16c：時限装置に連動、
17：阻止回路、
18：二箇所を遮断する阻止回路1、
19：二箇所を遮断する阻止回路2、
23a、23b、23c：カード表面、
24a、24c：カード裏面、
25a、25c：カード側面、
26：表示部、
27：入力ボタン、
28a、28b、28c：識別機構の起動スイッチ、
29a、29b：表面凹み部分、
30：側面凹み部分、
31：カード表面の位置、
32：カード側面の位置、
34a、34c：押す方向、
35b、35c：指紋センサー
36b、36c：識別機構起動ランプ、
41：阻止回路の取り付け対象範囲、
42：ＩＣチップの要所、
43：ＩＣチップ以外の電子回路の要所、
44：アンテナ線の要所、
51：所定の信号、
52：管理者を識別した信号、
53：正常状態を持続させる信号、
54：侵入対策の対象範囲。
【図１】
2006072814.tif 000003
【図２】
2006072814.tif 000004
【図３】
2006072814.tif 000005
【図４】
2006072814.tif 000006
【図５】
2006072814.tif 000007
【図６】
2006072814.tif 000008
【図７】
2006072814.tif 000009
【図８】
2006072814.tif 000010
【図９】
2006072814.tif 000011
【図１０】
2006072814.tif 000012
【図１１】
2006072814.tif 000013
【図１２】
2006072814.tif 000014